(57)【特許請求の範囲】
【請求項１】
パネル前面の自発光表示面側に表示光を発する平板状の自発光型表示パネルと、前記表示光が透過する透過部を有すると共に前記透過部の周囲は前記自発光表示面と同色の遮光層が積層形成されて前記自発光表示面に略平行に前記自発光型表示パネルの前面側に配設された表示板と、前記表示板の上部から前方に張り出して前記表示板への外光の入射を規制する外光遮断フードとを備えると共に、前記自発光型表示パネルは前記自発光表示面と水平面との挟角θaが０゜≦θa≦９０゜となる傾斜状態に配置される表示装置であって、
前記表示装置の前後方向に延在する垂直断面において、前記外光遮断フードの内面上の任意位置の点である出射点Ｐ０から出て、前記自発光表示面上の任意位置の点である反射点Ｐｒで反射される反射光Ｂｒと水平面との挟角をφｒ、前記反射点Ｐｒから出て前記自発光表示面の前方に設定されるアイポイント領域の下限位置に接触する光路Ｂａと水平面との挟角をφａ、前記反射点Ｐｒから出て前記自発光表示面の前方に設定されるアイポイント領域の上限位置に接触する光路Ｂｂと水平面との挟角をφｂとするとき、
常に、φａ≦φｒ≦φｂが成立するように、前記外光遮断フードの張り出し長と、前記自発光型表示パネルの傾斜角θaを設定したことを特徴とする表示装置。
【請求項２】
パネル前面の自発光表示面側に表示光を発する平板状の自発光型表示パネルと、前記表示光が透過する透過部を有すると共に前記透過部の周囲は前記自発光表示面と同色の遮光層が積層形成されて前記自発光表示面に略平行に前記自発光型表示パネルの前面側に配設された表示板と、前記表示板の上部から前方に張り出して前記表示板への外光の入射を規制する外光遮断フードとを備えると共に、前記自発光型表示パネルは前記自発光表示面と水平面との挟角θbが９０゜≦θb≦１８０゜となる傾斜状態に配置される表示装置であって、
前記表示板の下部から前方に張り出して前記表示板への外光の反射を規制する外光反射規制フードを更に備えると共に、
前記表示装置の前後方向に延在する垂直断面において、前記外光反射規制フードの表面上の任意位置の点である出射点Ｐ０から出て、前記自発光表示面上の任意位置の点である反射点Ｐｒで反射される反射光Ｂｒと水平面との挟角をφｒ、前記反射点Ｐｒから出て前記自発光表示面の前方に設定されるアイポイント領域の下限位置に接触する光路Ｂａと水平面との挟角をφａ、前記反射点Ｐｒから出て前記自発光表示面の前方に設定されるアイポイント領域の上限位置に接触する光路Ｂｂと水平面との挟角をφｂとするとき、
常に、φａ≦φｒ≦φｂが成立するように、前記外光反射規制フードの張り出し長と、前記自発光型表示パネルの傾斜角θbを設定したことを特徴とする表示装置。
【請求項３】
前記表示板の表面に、入射光の反射を抑制する無反射処理層を設けたことを特徴とする請求項１又は２に記載の表示装置。
【発明の詳細な説明】
【技術分野】
【０００１】
本発明は、有機ＥＬパネル等の自発光型表示パネルを備えた表示装置に関するものである。
【背景技術】
【０００２】
車両に搭載される速度メータの表示板（文字板）の一部の領域に、走行距離等の可変情報を表示する表示装置として、有機ＥＬパネル等の自発光型表示パネルを備えた表示装置が提案されている。
【０００３】
図１２〜図１４は、このような表示装置が組み込まれた速度メータの従来例を示したものである。
ここに示した速度メータ１は、下記特許文献１に開示されたものと同等の構成であり、速度目盛３を付した表示板５の裏面側の下部に、自発光型表示パネル７を備えた表示装置９が組み込まれている。
【０００４】
速度メータ１において、表示板５上の速度目盛３は略円周状に付与されていて、円周状に付与された速度目盛３の中心部には、指針１１が回転可能に支持されている。指針１１は、表示板５の裏面に配置された指針駆動部材（モータ）１３により車両の走行速度に応じて回転駆動されて、車両の走行速度を示す速度目盛を指示する。
【０００５】
表示板５は、メータハウジング１５に取り付けられている。メータハウジング１５は、前面側を開放した箱形形状に形成されたハウジング本体１８と、このハウジング本体１８の前面側に取り付けられた外光遮断フード１９とから構成されている。
【０００６】
外光遮断フード１９は、ハウジング本体１８の前面開放部を覆うハウジングカバー部１９ａと、このハウジングカバー部１９ａの上端から前方に張り出して前記表示板５への外光の入射を規制するフード部１９ｂとを有している。
【０００７】
表示板５は、ハウジングカバー部１９ａの裏面に組み付けられており、ハウジングカバー部１９ａに形成された開口１９ｃから前面側に露呈している。
【０００８】
ハウジング本体１８には、指針１１の動作を制御するメータ制御基板１７が装着されている。メータ制御基板１７には、表示板５を照射する発光ダイオード等の発光素子２３が装備されている。発光素子２３から出射される光は、表示板５の背面側に配設される導光部材２４により、表示板５に照射されるようになっている。
【０００９】
外光遮断フード１９の前面には、表示板５の視認性を妨げずに車室側から表示板５側への塵埃の進入を防止する湾曲形状の透光性カバー２５が取り付けられている。
【００１０】
表示装置９は、図１４に示すように、平板状の有機ＥＬパネルを使用した自発光型表示パネル７と、この自発光型表示パネル７を支持する装置ケース２７とを備えている。装置ケース２７は、メータ制御基板１７に取り付けられている。図示していないが、装置ケース２７の内部又はメータ制御基板１７上に、自発光型表示パネル７の発光動作を制御するパネル制御基板が装備される。
【００１１】
自発光型表示パネル７は、その前面（パネル前面）が、数字等の情報を発光表示する自発光表示面７ａとなっていて、走行距離を発光表示する。自発光型表示パネル７は、自発光表示面７ａが表示板５と平行になるように、装置ケース２７に取り付けられている。自発光表示面７ａの前面側に配置されている表示板５には、自発光表示面７ａの表示光を透過させる透明な透過部５ａが設けられている。
【００１２】
ところで、このような表示装置９では、見栄えを向上させて商品価値を高める点で、自発光型表示パネル７の表示光を透過する透過部５ａの領域と、その周辺部分との境目を判別し難くすることが重要となる。また、自発光型表示パネル７が表示する情報の視認性を向上させるためには、自発光表示面７ａに対して外光による写り込みを抑える対策も重要となる。
【００１３】
そこで、従来の表示装置９では、図１４に示すように、透明な樹脂板により形成された表示板５は、その裏面側において、自発光型表示パネル７の表示光を透過する透過部５ａの領域の周辺部分は、自発光表示面７ａと同色の遮光層５ｂを積層形成することにより、透過部５ａの領域とその周辺部分との境目を判別し難くしている。
【００１４】
また、自発光型表示パネル７の自発光表示面７ａと透過部５ａとの間には、直線偏光板３３と接着層３４と複屈折板３５との積層構造を成す円偏光板３１を配置して、自発光表示面７ａに対して外光による写り込みを抑えるようにしている。
【００１５】
【特許文献１】特開２００７−５８１８８号公報
【発明の開示】
【発明が解決しようとする課題】
【００１６】
ところが、円偏光板３１は、図１４にも示したように、直線偏光板３３と接着層３４と複屈折板３５との積層構造を成す高精度な光学部品で、部品コストが高く、円偏光板３１を使用した写り込み防止構造は、表示装置９の高額化を招くという問題があった。
【００１７】
また、円偏光板３１を使用する場合には、円偏光板３１は、図１４に示すように透光性ラバー樹脂板３６等を使って表示板５に密着させなければならず、透光性ラバー樹脂板３６等の部品を装備することによる構成部品の増加が、更に表示装置９の高額化を招くという問題があった。
【００１８】
本発明の目的は、上記課題を解消することに係り、高額部品である円偏光板を使わなくても、自発光型表示パネルの自発光表示面に対して外光による写り込みを抑えて、良好な視認性を確保することができ、従って、見栄えの向上と、表示情報の視認性の向上とを安価に実現することのできる表示装置を提供することにある。
【課題を解決するための手段】
【００１９】
本発明の上記目的は、下記構成により達成される。
（１）  パネル前面の自発光表示面側に表示光を発する平板状の自発光型表示パネルと、前記表示光が透過する透過部を有すると共に前記透過部の周囲は前記自発光表示面と同色の遮光層が積層形成されて前記自発光表示面に略平行に前記自発光型表示パネルの前面側に配設された表示板と、前記表示板の上部から前方に張り出して前記表示板への外光の入射を規制する外光遮断フードとを備えると共に、前記自発光型表示パネルは前記自発光表示面と水平面との挟角θaが０゜≦θa≦９０゜となる傾斜状態に配置される表示装置であって、
前記表示装置の前後方向に延在する垂直断面において、前記外光遮断フードの内面上の任意位置の点である出射点Ｐ０から出て、前記自発光表示面上の任意位置の点である反射点Ｐｒで反射される反射光Ｂｒと水平面との挟角をφｒ、前記反射点Ｐｒから出て前記自発光表示面の前方に設定されるアイポイント領域の下限位置に接触する光路Ｂａと水平面との挟角をφａ、前記反射点Ｐｒから出て前記自発光表示面の前方に設定されるアイポイント領域の上限位置に接触する光路Ｂｂと水平面との挟角をφｂとするとき、
常に、φａ≦φｒ≦φｂが成立するように、前記外光遮断フードの張り出し長と、前記自発光型表示パネルの傾斜角θaを設定したことを特徴とする表示装置。
【００２０】
（２）  パネル前面の自発光表示面側に表示光を発する平板状の自発光型表示パネルと、前記表示光が透過する透過部を有すると共に前記透過部の周囲は前記自発光表示面と同色の遮光層が積層形成されて前記自発光表示面に略平行に前記自発光型表示パネルの前面側に配設された表示板と、前記表示板の上部から前方に張り出して前記表示板への外光の入射を規制する外光遮断フードとを備えると共に、前記自発光型表示パネルは前記自発光表示面と水平面との挟角θbが９０゜≦θb≦１８０゜となる傾斜状態に配置される表示装置であって、
前記表示板の下部から前方に張り出して前記表示板への外光の反射を規制する外光反射規制フードを更に備えると共に、
前記表示装置の前後方向に延在する垂直断面において、前記外光反射規制フードの表面上の任意位置の点である出射点Ｐ０から出て、前記自発光表示面上の任意位置の点である反射点Ｐｒで反射される反射光Ｂｒと水平面との挟角をφｒ、前記反射点Ｐｒから出て前記自発光表示面の前方に設定されるアイポイント領域の下限位置に接触する光路Ｂａと水平面との挟角をφａ、前記反射点Ｐｒから出て前記自発光表示面の前方に設定されるアイポイント領域の上限位置に接触する光路Ｂｂと水平面との挟角をφｂとするとき、
常に、φａ≦φｒ≦φｂが成立するように、前記外光反射規制フードの張り出し長と、前記自発光型表示パネルの傾斜角θbを設定したことを特徴とする表示装置。
【００２１】
（３）  前記表示板の表面に、入射光の反射を抑制する無反射処理層を設けたことを特徴とする前記（１）又は（２）に記載の表示装置。
【００２２】
上記（１）の構成によれば、自発光型表示パネルから出射される表示光が透過する表示板の透過部の周囲は、自発光型表示パネルの自発光表示面と同色の遮光層が積層形成された構成のため、ユーザからは、透過部とその周辺が同色になり、透過部の領域とその周辺部分との境目が目立たなくなり、視覚的に表示装置が表示板内に同化するため、見栄えを向上させることができる。
【００２３】
また、自発光型表示パネルの自発光表示面で反射されて、アイポイント領域に入る反射光Ｂｒは、全て、外光遮断フードの内面から出た光線となるように、外光遮断フードの張り出し長と、前記自発光型表示パネルの傾斜角θaを設定したことで、外光が自発光表示面で反射してアイポイント領域に入ることが無くなるため、円偏光板を使用しなくてしなくても、自発光表示面に対して外光の入射による写り込みを防止することができる。
【００２４】
従って、部品コストの高い円偏光板を使用しなくても、自発光表示面に対して外光による写り込みを抑えて、良好な視認性を確保することができ、高額な円偏光板の省略によって製造コストを下げて、自発光型表示パネルによる表示情報の視認性の向上を安価に実現することができる。
【００２５】
なお、本発明におけるアイポイントとは、車両を運転する運転者の目が存在する位置を統計的に設定したものであり、運転者が表示装置を正面から適正な姿勢で視認する場合における、視点が位置する位置を意味する。
【００２６】
上記（２）の構成によれば、自発光型表示パネルから出射される表示光が透過する表示板の透過部の周囲は、自発光型表示パネルの自発光表示面と同色の遮光層が積層形成された構成のため、ユーザからは、透過部とその周辺が同色になり、透過部の領域とその周辺部分との境目が目立たなくなり、視覚的に表示装置が表示板内に同化するため、見栄えを向上させることができる。
【００２７】
また、自発光型表示パネルの自発光表示面で反射されて、アイポイント領域に入る反射光Ｂｒは、全て、外光反射規制フードの表面から出た光線となるように、外光反射規制フードの張り出し長と、前記自発光型表示パネルの傾斜角θbを設定したことで、外光が自発光表示面で反射してアイポイント領域に入ることが無くなるため、円偏光板を使用しなくても、自発光表示面に対して外光の入射による写り込みを防止することができる。
【００２８】
従って、部品コストの高い円偏光板を使用しなくても、自発光表示面に対して外光による写り込みを抑えて、良好な視認性を確保することができ、高額な円偏光板の省略によって製造コストを下げて、自発光型表示パネルによる表示情報の視認性の向上を安価に実現することができる。
【００２９】
上記（３）の構成によれば、例えば、表示板上に指針等が配置されている場合に、指針が表示板上に写り込んで、表示板に付与されている目盛等が見え難くなることを防止でき、更に、外光が表示板上で反射してアイポイント領域に入射することをより確実に防止できるようになり、表示板上に表示される情報の視認性が更に向上する。
【発明の効果】
【００３０】
本発明による表示装置によれば、高額な円偏光板を使用しなくても、自発光表示面に対して外光による写り込みを抑えて、良好な視認性を確保することができるため、写り込みが無く、見栄えの良い表示装置を安価に提供することが可能になる。
【発明を実施するための最良の形態】
【００３１】
以下、本発明に係る表示装置の好適な実施形態について、図面を参照して詳細に説明する。
［第１実施形態］
図１は、本発明に係る表示装置が組み込まれた車両用の速度メータの第１実施形態の正面図、図２は図１のＢ−Ｂ断面図、図３は図２に示した表示装置の拡大図、図４は図２に示した表示装置において、傾斜角θaが０゜≦θa≦９０゜の自発光表示面で反射してアイポイント領域に入射する光線の光路説明図である。図５は図４に示した自発光表示面の傾斜角θaで、外光の反射光がアイポイント領域に入射しないように、外光遮断フードの張り出し長と、自発光型表示パネルの傾斜角θaとを設定するための説明図、図６は図５に示した自発光表示面上の反射点Ｐｒ付近の拡大説明図、図７は図２に示した表示装置において、自発光表示面の傾斜角θaが０゜≦θa≦９０゜の時に、自発光表示面で反射してアイポイント領域以外に進む光線の光路説明図である。
【００３２】
図１に示した速度メータ４１は、車両の走行速度を指示するもので、速度目盛や文字・数値等の意匠４２を略円周状に付与した表示板（文字盤）５の中心部に、指針１１が回転可能に支持されている。指針１１は、表示板５の裏面に配置された指針駆動部材（モータ）１３により車両の走行速度に応じて回転駆動されて、車両の走行速度を示す速度目盛を指示する。
【００３３】
表示板５は、メータハウジング４３に取り付けられている。メータハウジング４３は、指針１１の動作を制御するメータ制御基板１７を収容保持したハウジング本体４４と、このハウジング本体４４に取り付けられた表示板５の前方を覆う透光性カバー４５とから構成されている。
【００３４】
表示板５は、透明な樹脂板で形成されている。速度目盛や文字・数値等の意匠４２は、透光性の樹脂塗料等で、表示板５の裏面に印刷されている。表示板５の速度目盛や文字・数値等の意匠４２が施された領域に対向するメータ制御基板１７上には、前記領域に照明光を照射して速度目盛や文字・数値等の意匠４２を発光させる照明灯４７が装備されている。照明灯４７には、発光ダイオード（ＬＥＤ）等が使用されている。
【００３５】
また、表示板５の速度目盛や文字・数値等の意匠４２が施された領域の裏面には、照明灯４７から出射された照明光を、前記領域に均等に拡散する拡散板４９が装備されている。拡散板４９は、メータ制御基板１７の上に装備された樹脂製のケース５１に支持されている。
【００３６】
ケース５１には、照明灯４７から出射された照明光を拡散板４９に向けて反射するリフレクタ５１ａが一体形成されている。
【００３７】
表示板５の下部側の領域の背面には、走行距離の表示を行う表示装置６１の自発光型表示パネル６３が装備されている。
【００３８】
自発光型表示パネル６３は、平板状の有機ＥＬパネルを使用したもので、パネル前面の自発光表示面６３ａ側に走行距離を示す数値列の表示光を出射する発光素子部６４と、この発光素子部６４の背面に装備されて発光素子部６４の発光を制御する素子制御回路６５と、これらの発光素子部６４及び素子制御回路６５を収容保持した発光素子筐体６６とから構成されている。
【００３９】
自発光型表示パネル６３は、両端にコネクタ７１が装備されたフラットケーブル７２により、メータ制御基板１７に接続されている。また、自発光型表示パネル６３は、発光素子筐体６６が前記ケース５１に一体形成されたパネル支持部５１ｂに保持されることにより、表示板５の背面側に固定されている。パネル支持部５１ｂに固定された自発光型表示パネル６３は、図３にも示すように、自発光表示面６３ａが、表示板５に平行になっている。そして、表示板５の自発光表示面６３ａに対向する位置には、自発光型表示パネル６３から出射される表示光を透過する透過部５ａが設けられている。
【００４０】
この透過部５ａは、透明な樹脂板で形成されている表示板５の裏面において、透過部５ａの周辺部分となる領域には、自発光表示面６３ａと同色（例えば、黒色）の遮光層５ｂを積層形成し、透過部５ａとなる領域には遮光層５ｂを装備しない構成とすることにより、形成されている。なお、遮光層５ｂは、図３に示すように、速度目盛や文字・数値等の意匠４２の装備領域に重ならないように（即ち、意匠４２は透光性が損なわれないように）形成されている。
【００４１】
また、表示板５の前面には、入射光の反射を抑制する無反射処理層（ＡＲコーティング層）７７を設けている。
【００４２】
本実施形態において、表示板５上に走行距離の表示を行う表示装置６１は、上記の自発光型表示パネル６３と、自発光型表示パネル６３の表示光が透過する透過部５ａを有すると共に前記透過部５ａの周囲は自発光型表示パネル６３の自発光表示面６３ａと同色の遮光層５ｂが積層形成されて自発光表示面６３ａに略平行に自発光型表示パネル６３の前面側に配設された表示板５と、表示板５の上部から前方に張り出して前記表示板５への外光の入射を規制する外光遮断フード７５（図２参照）とを備えている。外光遮断フード７５の内面は黒色又は黒色に近い色である。また、外光遮断フード７５は外光を遮断しているので、その内面が他の色であっても、内面には外光が当たらず、黒色又は黒色に近い色に見える。
【００４３】
そして、図２及び図４に示すように、自発光型表示パネル６３は、前後方向に延在する垂直断面において、自発光表示面６３ａの裏面と水平面との挟角θaが０゜≦θa≦９０゜となる傾斜状態に配置されている。
【００４４】
そして、自発光型表示パネル６３の傾斜状態が上記のように設定されている場合では、図４に示すように、自発光型表示パネル６３の前面側の斜め上方から自発光表示面６３ａに入射する外光Ｂ１や外光Ｂ２は、入射位置や入射角度によっては、自発光表示面６３ａで反射して、自発光表示面６３ａの前方に設定されているアイポイント領域Ｉに入る可能性がある。
【００４５】
ここに、アイポイント領域Ｉは、車両を運転する運転者の目が存在する位置を統計的に設定したもので、この領域Ｉに外光の反射光が入射する時は、自発光表示面６３ａ上に外光による写り込みが発生して、自発光表示面６３ａにおける表示情報が視認できなくなったり、あるいは、反射光が運転者の目に入る可能性がある。
【００４６】
そこで、本実施形態では、自発光型表示パネル６３の前面側の斜め上方から自発光表示面６３ａに入射して自発光表示面６３ａで反射して、アイポイント領域Ｉに入る外光の全てを、外光遮断フード７５で遮断できるように、外光遮断フード７５の張り出し長と、自発光型表示パネル６３の傾斜角θaを設定する。
【００４７】
具体的には、外光遮断フード７５の張り出し長と、自発光型表示パネル６３の傾斜角θaは、次のように設定する。
【００４８】
図６に示すように、表示装置６１の前後方向に延在する垂直断面において、自発光表示面６３ａの幅をＷとする。そして、図５及び図６に示すように、その幅Ｗの中点を原点ＯとするＸ−Ｙ座標で、外光遮断フード７５の両端点をＰ１（ｘ１，ｙ１），Ｐ２（ｘ２，ｙ２）とする。そして、Ｐ１，Ｐ２を結ぶ線分を外光遮断フード７５の内面（下面）の張り出し形状としたとき、その線分上の任意位置の点（即ち、外光遮断フード７５の内面上の任意位置の点）をＰ０（ｘ０，ｙ０）とする。
【００４９】
そして、Ｐ０から発せられた光が自発光表示面６３ａ上で反射する点をＰｒ（ｘｒ，ｙｒ）とすると、点Ｐｒの各座標は、次の（１），（２）式の範囲となる。
−（１／２）Ｗcosθa≦ｘｒ≦（１／２）Ｗcosθa      ……（１）
−（１／２）Ｗsinθa≦ｙｒ≦（１／２）Ｗsinθa      ……（２）
【００５０】
図５に示すように、表示装置６１の前後方向に延在する垂直断面において、外光遮断フード７５の内面上の任意位置の点である出射点Ｐ０（ｘ０，ｙ０）から出て、自発光表示面６３ａ上の任意位置の点である反射点Ｐｒ（ｘｒ、ｙｒ）で反射される反射光Ｂｒと水平面との挟角をφｒ、前記反射点Ｐｒ（ｘｒ、ｙｒ）から出てアイポイント領域Ｉの下限位置Ａ（ｘａ，ｙａ）に接触する光路Ｂａと水平面との挟角をφａ、反射点Ｐｒ（ｘｒ、ｙｒ）から出てアイポイント領域Ｉの上限位置Ｂ（ｘｂ，ｙｂ）に接触する光路Ｂｂと水平面との挟角をφｂとするとき、自発光表示面６３ａで反射されてアイポイント領域Ｉに入る外光の全てが外光遮断フード７５によって遮断される条件は、次の（３）式となる。
φａ≦φｒ≦φｂ                                            ……（３）
【００５１】
そこで、本実施形態の表示装置６１では、常に、上記（３）式が成立するように、外光遮断フード７５の張り出し長と、前記自発光型表示パネル６３の傾斜角θaを設定している。
【００５２】
以下に、図５に示した図に基づいて、φｒの計算式を示す。
自発光表示面６３ａに対する外光の入射角はαｉ、反射角はαｒとすると、
αｒ＝αｉ
＝−tan−１｛（ｙ０−ｙｒ）／（ｘ０−ｘｒ）｝−９０゜＋θａ  …（４）
∴φｒ＝−２αｒ−tan−１｛（ｙ０−ｙｒ）／（ｘ０−ｘｒ）｝
＝１８０゜−２θａ＋tan−１｛（ｙ０−ｙｒ）／（ｘ０−ｘｒ）｝…（５）
従って、（３）式に示した条件は、下記（６）式のようになる。
φａ≦180゜−２θａ＋tan−１｛（ｙ０−ｙｒ）／（ｘ０−ｘｒ）｝≦φｂ…（６）
但し、φａ＝−tan−１｛（ｙｒ−ｙａ）／（ｘｒ−ｘａ）｝             …（７）
φｂ＝−tan−１｛（ｙｒ−ｙｂ）／（ｘｒ−ｘｂ）｝             …（８）
ｙｒ＝tanθａ・ｘｒ                          …（９）
ｙ０＝｛（ｙ２−ｙ１）／（ｘ２−ｘ１）｝ｘ０
＋（ｘ２ｙ１−ｘ１ｙ２）／（ｘ２−ｘ１）   …（１０）
である。
【００５３】
上記の実施形態の表示装置６１の構成によれば、自発光型表示パネル６３から出射される表示光が透過する表示板５の透過部５ａの周囲は、自発光型表示パネル６３の自発光表示面６３ａと同色の遮光層５ｂが積層形成された構成のため、ユーザからは、透過部５ａとその周辺が同色になり、透過部５ａの領域とその周辺部分との境目が目立たなくなり、視覚的に表示装置が表示板５内に同化するため、見栄えを向上させることができる。
【００５４】
また、自発光型表示パネル６３の自発光表示面６３ａで反射されて、アイポイント領域Ｉに入る反射光Ｂｒは、全て、外光遮断フード７５の内面から出た光線となるように、外光遮断フード７５の張り出し長と、自発光型表示パネル６３の傾斜角θａを設定したことで、外光が自発光表示面６３ａで反射してアイポイント領域Ｉに入ることが無くなるため、円偏光板を使用しなくても、自発光表示面６３ａに対して外光の入射による写り込みを防止することができる。
【００５５】
従って、部品コストの高い円偏光板を使用しなくても、自発光表示面６３ａに対して外光による写り込みを抑えて、良好な視認性を確保することができ、高額な円偏光板の省略によって製造コストを下げて、自発光型表示パネル６３による表示情報の視認性の向上を安価に実現することができる。
【００５６】
なお、上記実施形態の表示装置６１では、図７に示すように、外光遮断フード７５で遮断されずに自発光型表示パネル６３に入射する外光Ｃ１，Ｃ２は、アイポイント領域Ｉから離れた位置に反射される反射光Ｃ１ｒ，Ｃ２ｒとなるため、アイポイント領域Ｉの位置から自発光型表示パネル６３を視認する運転者にとって、写り込みは発生せず、視認性に影響することがない。
【００５７】
また、本実施形態の表示装置６１では、表示板５の表面に、入射光の反射を抑制する無反射処理層７７を設けている。
【００５８】
そのため、例えば、図１及び図２に示すように、表示板５上に指針１１等が配置されている場合に、指針１１が表示板５上に写り込んで、表示板５に付与されている目盛等の意匠４２が見え難くなることを防止でき、更に、外光が表示板５上で反射してアイポイント領域Ｉに入射することをより確実に防止できるようになり、表示板５上に表示される情報の視認性が更に向上する。
【００５９】
［第２実施形態］
図８は本発明に係る表示装置が組み込まれた速度メータの第２実施形態の説明図で、傾斜角θbが９０゜≦θb≦１８０゜の自発光表示面で反射してアイポイント領域に入射する光線の光路説明図、図９は図８に示した自発光表示面の傾斜角θbで、外光の反射光がアイポイント領域に入射しないように、外光反射規制フードの張り出し長と、自発光型表示パネルの傾斜角θbとを設定するための説明図である。図１０は図９に示した自発光表示面上の反射点Ｐｒ付近の拡大説明図、図１１は自発光表示面の傾斜角θbが９０゜≦θb≦１８０゜の時に、自発光表示面で反射してアイポイント領域以外に進む光線の光路説明図である。
【００６０】
この第２実施形態の速度メータ８１は、車体へ取り付ける際の傾斜角θｂを、９０゜≦θb≦１８０゜に設定したもので、それ以外の構成は、第１実施形態と共通である。共通の構成は、同一の符合を付すことにより、説明を省略する。
【００６１】
速度メータ８１の傾斜に合わせて、当該速度メータ８１に組み込まれた表示装置６１も、自発光型表示パネル６３の自発光表示面６３ａの裏面と水平面との挟角θbが、９０゜≦θb≦１８０゜となっている。
【００６２】
即ち、本実施形態の表示装置６１は、パネル前面の自発光表示面６３ａ側に表示光を発する平板状の自発光型表示パネル６３と、前記表示光が透過する透過部５ａを有すると共に透過部５ａの周囲は自発光表示面６３ａと同色の遮光層５ｂが積層形成されて自発光表示面６３ａに略平行に自発光型表示パネル６３の前面側に配設された表示板５と、表示板５の上部から前方に張り出して表示板５への外光の入射を規制する外光遮断フード７５とを備えると共に、自発光型表示パネル６３は前記自発光表示面６３ａの裏面と水平面との挟角θbが９０゜≦θb≦１８０゜となる傾斜状態に配置されている。
【００６３】
また、第１実施形態の速度メータ４１と同様に、表示板５の表面には、入射光の反射を抑制する無反射処理層７７が設けられている。
【００６４】
このように自発光型表示パネル６３が、９０゜≦θb≦１８０゜となる傾斜状態で装備されている場合には、図８に示すように、表示板５の下部から前方に張り出しているメータ下部壁８３が、外光に対する反射面となる。
【００６５】
そして、自発光型表示パネル６３の前面側の斜め上方からメータ下部壁８３に入射する外光Ｂ３が、該メータ下部壁８３で反射されて自発光表示面６３ａに入射すると、入射位置や入射角度によっては、自発光表示面６３ａで反射して、自発光表示面６３ａの前方に設定されているアイポイント領域Ｉに入る可能性がある。
【００６６】
そして、アイポイント領域Ｉに外光の反射光が入射する時は、自発光表示面６３ａ上に外光による写り込みが発生して、自発光表示面６３ａにおける表示情報が視認できなくなったり、あるいは、反射光が運転者の目に入る可能性がある。
【００６７】
そこで、表示板５の下部から前方に張り出しているメータ下部壁８３の内、表示板５へ外光を反射する可能性のある領域は、表示板５への外光の反射を規制する外光反射規制フード（図８に太い実線で示した部分）８５とする。
【００６８】
この外光反射規制フード８５は、例えば、表示板５の表面に形成した無反射処理層（ＡＲコーティング層）７７と同様の処理で良く、入射した光線を吸収する領域とする。そのため、外光反射規制フード８５は黒色又は黒色に近い色である。
【００６９】
そして、本実施形態では、自発光型表示パネル６３の前面側の斜め上方からメータ下部壁８３に入射し、該メータ下部壁８３の反射で自発光表示面６３ａに入射して、自発光表示面６３ａの反射でアイポイント領域Ｉに入る外光の全てを、外光反射規制フード８５で遮断できるように、外光反射規制フード８５の張り出し長と、自発光型表示パネル６３の傾斜角θbを設定する。
【００７０】
具体的には、外光反射規制フード８５の張り出し長と、自発光型表示パネル６３の傾斜角θｂは、次のように設定する。
【００７１】
図１０に示すように、表示装置６１の前後方向に延在する垂直断面において、自発光表示面６３ａの幅をＷとする。そして、図９及び図１０に示すように、その幅Ｗの中点を原点ＯとするＸ−Ｙ座標で、外光反射規制フード８５の両端点をＰ１（ｘ１，ｙ１），Ｐ２（ｘ２，ｙ２）とする。そして、Ｐ１，Ｐ２を結ぶ線分を外光反射規制フード８５の張り出し形状としたとき、その線分上の任意位置の点（即ち、外光反射規制フード８５の内面上の任意位置の点）をＰ０（ｘ０，ｙ０）とする。
【００７２】
そして、Ｐ０から発せられた光が自発光表示面６３ａ上で反射する点をＰｒ（ｘｒ，ｙｒ）とすると、点Ｐｒの各座標は、次の（１１），（１２）式の範囲となる。
−（１／２）Ｗcosθb≦ｘｒ≦（１／２）Ｗcosθb      ……（１１）
−（１／２）Ｗsinθb≦ｙｒ≦（１／２）Ｗsinθb      ……（１２）
【００７３】
図９に示すように、表示装置６１の前後方向に延在する垂直断面において、外光反射規制フード８５の内面上の任意位置の点である出射点Ｐ０（ｘ０，ｙ０）から出て、自発光表示面６３ａ上の任意位置の点である反射点Ｐｒ（ｘｒ、ｙｒ）で反射される反射光Ｂｒと水平面との挟角をφｒ、前記反射点Ｐｒ（ｘｒ、ｙｒ）から出てアイポイント領域Ｉの下限位置Ａ（ｘａ，ｙａ）に接触する光路Ｂａと水平面との挟角をφａ、反射点Ｐｒ（ｘｒ、ｙｒ）から出てアイポイント領域Ｉの上限位置Ｂ（ｘｂ，ｙｂ）に接触する光路Ｂｂと水平面との挟角をφｂとするとき、自発光表示面６３ａで反射されてアイポイント領域Ｉに入る外光の全てが外光反射規制フード８５によって遮断される条件は、次の（１３）式となる。
φａ≦φｒ≦φｂ                                            ……（１３）
【００７４】
そこで、本実施の形態の表示装置６１では、常に、上記（１３）式が成立するように、外光反射規制フード８５の張り出し長と、前記自発光型表示パネル６３の傾斜角θbを設定している。
【００７５】
以下に、図９に示した図に基づいて、φｒの計算式を示す。
自発光表示面６３ａに対する外光の入射角はαｉ、反射角はαｒとすると、
αｒ＝αｉ＝tan−１｛（ｙr−ｙ0）／（ｘr−ｘ0）｝−θb＋９０゜…（１４）
∴φｒ＝αｒ−θb＋９０゜
＝180゜−２θb＋tan−１｛（ｙr−ｙ0）／（ｘr−ｘ0）}  …（１５）
従って、（１３）式に示した条件は、下記（１６）式のようになる。
φａ≦１８０゜−２θb＋tan−１｛（ｙr−ｙ0）／（ｘr−ｘ0）}≦φｂ…（１６）
但し、ｙｒ＝tanθb・ｘｒ                          …（１７）
ｙ０＝｛（ｙ２−ｙ１）／（ｘ２−ｘ１）｝ｘ０
＋（ｘ２ｙ１−ｘ１ｙ２）／（ｘ２−ｘ１）    …（１８）
である。
【００７６】
上記の第２実施形態の表示装置６１の構成によれば、自発光型表示パネル６３から出射される表示光が透過する表示板５の透過部５ａの周囲は、自発光型表示パネル６３の自発光表示面６３ａと同色の遮光層５ｂが積層形成された構成のため、ユーザからは、透過部５ａとその周辺が同色になり、透過部５ａの領域とその周辺部分との境目が目立たなくなり、視覚的に表示装置が表示板５内に同化するため、見栄えを向上させることができる。
【００７７】
また、メータ下部壁８３から自発光型表示パネル６３の自発光表示面６３ａに入射して、自発光表示面６３ａの反射によりアイポイント領域Ｉに入る反射光Ｂｒは、全て、外光反射規制フード８５の表面から出た光線となるように、外光反射規制フード８５の張り出し長と、自発光型表示パネル６３の傾斜角θbを設定したことで、外光がメータ下部壁８３で反射されて自発光表示面６３ａに入射することが抑止され、結局、外光の反射光がアイポイント領域Ｉに入ることが無くなるため、円偏光板を使用しなくても、自発光表示面６３ａに対して外光の入射による写り込みを防止することができる。
【００７８】
従って、部品コストの高い円偏光板を使用しなくても、自発光表示面６３ａに対して外光による写り込みを抑えて、良好な視認性を確保することができ、高額な円偏光板の省略によって製造コストを下げて、自発光型表示パネル６３による表示情報の視認性の向上を安価に実現することができる。
【００７９】
なお、上記実施形態の表示装置６１では、図１１に示すように、外光反射規制フード８５で遮断されずに自発光型表示パネル６３に直接入射する外光Ｃ３，Ｃ４は、アイポイント領域Ｉから離れた位置に反射される反射光Ｃ３ｒ，Ｃ４ｒとなるため、アイポイント領域Ｉの位置から自発光型表示パネル６３を視認する運転者にとって、写り込みは発生せず、視認性に影響することがない。
【００８０】
また、本実施形態の表示装置６１でも、図８に示したように、表示板５の表面に、入射光の反射を抑制する無反射処理層７７を設けている。
【００８１】
そのため、例えば、表示板５上に指針１１等が配置されている場合に、指針１１が表示板５上に写り込んで、表示板５に付与されている目盛等の意匠４２が見え難くなることを防止でき、更に、外光が表示板５上で反射してアイポイント領域Ｉに入射することをより確実に防止できるようになり、表示板５上に表示される情報の視認性が更に向上する。
【００８２】
なお、本発明は、各実施形態に限定されるものではなく、種々の変形が可能であり、例えば、自発光型表示パネルは蛍光表示管（ＶＦＤ）であっても良い。
【図面の簡単な説明】
【００８３】
【図１】本発明に係る表示装置が組み込まれた速度メータの第１の実施の形態の正面図である。
【図２】図１のＢ−Ｂ断面図である。
【図３】図２に示した表示装置の拡大図である。
【図４】図２に示した表示装置において、傾斜角θaが０゜≦θa≦９０゜の自発光表示面で反射してアイポイント領域に入射する光線の光路説明図である。
【図５】図４に示した自発光表示面の傾斜角θaで、外光の反射光がアイポイント領域に入射しないように、外光遮断フードの張り出し長と、自発光型表示パネルの傾斜角θaとを設定するための説明図である。
【図６】図５に示した自発光表示面上の反射点Ｐｒ付近の拡大説明図である。
【図７】図２に示した表示装置において、自発光表示面の傾斜角θaが０゜≦θa≦９０゜の時に、自発光表示面で反射してアイポイント領域以外に進む光線の光路説明図である。
【図８】本発明に係る表示装置が組み込まれた速度メータの第２の実施の形態の説明図で、傾斜角θbが９０゜≦θb≦１８０゜の自発光表示面で反射してアイポイント領域に入射する光線の光路説明図である。
【図９】図８に示した自発光表示面の傾斜角θbで、外光の反射光がアイポイント領域に入射しないように、外光反射規制フードの張り出し長と、自発光型表示パネルの傾斜角θbとを設定するための説明図である。
【図１０】図９に示した自発光表示面上の反射点Ｐｒ付近の拡大説明図である。
【図１１】図２に示した表示装置において、自発光表示面の傾斜角θbが９０゜≦θb≦１８０゜の時に、自発光表示面で反射してアイポイント領域以外に進む光線の光路説明図である。
【図１２】自発光型表示パネルを備えた表示装置が組み込まれた従来の速度メータの正面図である。
【図１３】図１２のＡ−Ａ断面図である。
【図１４】図１３に示した表示装置の拡大図である。
【符号の説明】
【００８４】
５  表示板５
５ａ  透過部
５ｂ  遮光層
１１  指針
１３  指針駆動部材
１７  メータ制御基板
４１  速度メータ
４２  速度目盛や文字・数値等の意匠
４３  メータハウジング
４４  ハウジング本体
４５  透光性カバー
４７  照明灯
４９  拡散板
５１  ケース
５１ａ  リフレクタ  
５１ｂ  パネル支持部
６１  表示装置
６３  自発光型表示パネル
６３ａ  自発光表示面
６４  発光素子部
６５  素子制御回路
７５  外光遮断フード
７７  無反射処理層
８３  メータ下部壁
８５  外光反射規制フード
Ｂ１，Ｂ２，Ｂ３  外光
Ｃ１，Ｃ２，Ｃ３，Ｃ４  外光
【図１】
0005188874.tif 000002
【図２】
0005188874.tif 000003
【図３】
0005188874.tif 000004
【図４】
0005188874.tif 000005
【図５】
0005188874.tif 000006
【図６】
0005188874.tif 000007
【図７】
0005188874.tif 000008
【図８】
0005188874.tif 000009
【図９】
0005188874.tif 000010
【図１０】
0005188874.tif 000011
【図１１】
0005188874.tif 000012
【図１２】
0005188874.tif 000013
【図１３】
0005188874.tif 000014
【図１４】
0005188874.tif 000015